(57)【要約】【課題】ベルトとプーリーとの間に手が挟まれることを防止できる挟まれ防止具を提供すること。【解決手段】回転機器の手回し時に使用される挟まれ防止具２であって、コの字状に折り曲げられたコの字状部１２を一端部側に持つ板状部材１０と、前記コの字状部１２の対向する面の間を結ぶ軸１４に回転自在に取り付けられた円柱状ローラー１６と、前記板状部材１０の他端部側に所定長さで設けられた、前記板状部材１０の幅Ｗ１より小さい幅Ｗ２を持つ突起部１８とを、有する挟まれ防止具２。【選択図】  図１
2004190843.tif 000002
【特許請求の範囲】
【請求項１】
回転機器のベルトに装着して手回し時に使用される挟まれ防止具であって、
コの字状に折り曲げられたコの字状部を一端部側に持つ板状部材と、
前記コの字状部の対向する面の間を結ぶ軸に回転自在に取り付けられた円柱状ローラーと、
前記板状部材の他端部側に所定長さで設けられた、前記板状部材の幅より小さい幅を持つ突起部とを、有する挟まれ防止具。
【請求項２】
前記コの字状部の開放部を橋渡しするストッパを有する請求項１に記載の挟まれ防止具。
【請求項３】
前記板状部材が、前記一端部側と前記他端部側との間の所定位置で、所定方向に所定角度で折り曲げられており、かつ、前記突起部の直近位置で、前記所定方向とは反対方向に所定角度で折り曲げられている請求項１または２に記載の挟まれ防止具。
【発明の詳細な説明】
【０００１】
【発明の属する技術分野】
本発明は、回転機器類の整備用具に関し、特にベルトへの手の挟まれ防止具に関する。
【０００２】
【従来の技術】
従来より、回転機器類を起動する際には、機器の異常の有無を確認するために、手でベルトを掴み、手回しを行うことがあった。
【０００３】
しかしながら、回転機器類の手回しを手で行うと、ベルトとプーリーとの間に、無意識のうちに、手が挟み込まれる可能性があり、作業の安全性に問題があった。
【０００４】
これに対し、回転機器類の点検を安全に行うために、クランプ機能を有する金具が提案されている（たとえば特許文献１〜２参照）。
【０００５】
【特許文献１】実開平５−８３５１７号公報
【特許文献２】実開平５−８０６７８号公報
【発明が解決しようとする課題】
本発明の目的は、ベルトとプーリーとの間に手が挟まれることを防止できる挟まれ防止具を提供することである。
【０００６】
【課題を解決するための手段】
上記目的を達成するために、本発明によれば、
回転機器のベルトに装着して手回し時に使用される挟まれ防止具であって、
コの字状に折り曲げられたコの字状部を一端部側に持つ板状部材と、
前記コの字状部の対向する面の間を結ぶ軸に回転自在に取り付けられた円柱状ローラーと、
前記板状部材の他端部側に所定長さで設けられた、前記板状部材の幅より小さい幅を持つ突起部とを、有する挟まれ防止具が提供される。
【０００７】
この発明によれば、円柱状ローラーが取り付けられたコの字状部をベルトに架けると、手回し時に突起部がプーリーに当たり、挟まれ防止具がプーリーの手前側に固定され、手がプーリーの位置まで届かなくなる。その結果、ベルトとプーリーとの間に、無意識のうちに、手が挟まれることを防止することができる。
【０００８】
好ましくは、前記コの字状部の開放部を橋渡しするストッパを有する。ストッパを有することで、該ストッパとコの字状部とでベルトを挟むことができ、ベルトからの挟まれ防止具の脱落を防止することができる。
【０００９】
好ましくは、前記板状部材が、前記一端部側と前記他端部側との間の所定位置で、所定方向に所定角度で折り曲げられており、かつ、前記突起部の直近位置で、前記所定方向とは反対方向に所定角度で折り曲げられている。このように板状部材を構成することで、板状部材の突起部をプーリーのベルト架け用の溝に合わせることができ、挟まれ防止具の固定をより確実にすることができる。
【００１０】
【発明の実施の形態】
以下、本発明を、図面に示す実施形態に基づき説明する。
図１（Ａ）は本発明の一実施形態に係る回転機器のベルトに装着して手回し時に使用される挟まれ防止具の正面図、図１(Ｂ)は図１（Ａ）の右側面図、図２は図１（Ａ）の挟まれ防止具を回転機器としてのモーターのプーリーに架けられたベルトに取り付けた状態を示す斜視図、図３は図２のように挟まれ防止具を取り付けた状態でモーターの手回しを行う場合の説明図である。
【００１１】
図１（Ａ）および図１（Ｂ）に示すように、本実施形態に係る挟まれ防止具２は、金属などで構成される所定厚みの板状部材１０を有する。この板状部材１０の長さは、後述のプーリー２２の大きさに応じて適宜選択される。板状部材１０の一端部側には、コの字状に折り曲げられたコの字状部１２が形成されている。このコの字状部１２の幅は、後述のベルト２４の幅に応じて適宜選択される。
【００１２】
開放部１３を挟んでコの字状部１２の対向する面の間を結ぶ軸１４には、円柱状ローラー１６が回転自在に取り付けられている。なお、開放部１３の大きさは、ベルト２４の厚みに応じて適宜選択される。板状部材１０の他端部側には、板状部材１０の幅Ｗ１より小さい幅Ｗ２の突起部１８が、所定長さに亘って設けられている。突起部１８の幅Ｗ２は、プーリー２２の大きさに応じて適宜選択される。本実施形態では、突起部１８は、板状部材１０の両面に設けてあるが、板状部材１０の片面に設けてあってもよい。
【００１３】
コの字状部１２の近傍には、コの字状部１２の開放部１３を橋渡しするように、ストッパ２０が設けられている。ストッパ２０は、コの字状部１２の近傍の板状部材１０に回動自在に、すなわち支点２１を中心として回動自在に取り付けられている。これにより、ストッパ２０は、コの字状部１２の開放部への橋渡し状態と橋渡しをしない状態とを自在に取ることができる。
【００１４】
なお、図１（Ａ）に示すように、板状部材１０は、コの字状部１２が形成された一端部側と突起部１８が形成された他端部側との間の所定位置Ｐ１で、板状部材１０のコの字状部１２が形成された方向に所定角度で折り曲げられ、さらに上記位置Ｐ１より上述した他端部側にある突起部１８の直近位置Ｐ２で、板状部材１０のコの字状部１２が形成された方向とは反対方向に上記所定角度と同じ角度だけ折り曲げられていることが好ましい。折り曲げの角度は、プーリー２２の大きさに応じて適宜選択される。
【００１５】
次に、挟まれ防止具２の取り付け方法を説明する。図２に示すように、挟まれ防止具２のコの字状部１２を、プーリー２２に架けられたベルト２４に架ける。このとき、（１）ベルト２４には、コの字状部１２に取り付けられた円柱状ローラー１６が接するように、また、（２）プーリー２２に突起部１８を接触させ、プーリー２２のベルト溝２２ａには、板状部材１０の突起１８より幅が広い部分１０ａ（図１（Ｂ）参照）が挿入されるように、挟まれ防止具２を配置する。これにより、挟まれ防止具の位置が固定される。
【００１６】
上述したように、板状部材１０の位置Ｐ１、Ｐ２で、該板状部材１０を所定角度で折り曲げるのは、板状部材１０の突起部１８より幅が広い部分１０ａ（図１（Ｂ）参照）をプーリー２２のベルト溝２２ａに入れ易くし、挟まれ防止具２の固定をより確実にするためである。
【００１７】
なお、ストッパ２０は板状部材１０に設けられた支点２１を中心にして回動可能なので、ストッパ２０をコの字状部１２の開放部１３（図１（Ａ）参照）に橋渡ししない状態で挟まれ防止具２のコの字状部１２をベルト２４に架け、架けた後に、コの字状部１２の開放部１３にストッパ２０を橋渡しするようにする。これにより、コの字状部１２がベルト２４から脱落することを防止できる。
【００１８】
次に、このようにして設置された挟まれ防止具２の使用方法を説明する。図３に示すように、モーター２６の手回しは、作業者が手２８でベルト２４を掴んで行われる。このとき、上記挟まれ防止具２が取り付けてあると、手２８が勢い余ってプーリー２２側に近づいても、手２８が挟まれ防止具２に当たり、挟まれ防止具２の突起部１８がプーリー２２に当たって、挟まれ防止具２が手２８とプーリー２２との間に固定され、手２８がプーリー２２の位置まで届かなくなる。このため、ベルト２４とプーリー２２との間への手２８の挟まれを防止できる。また、この場合、ベルト２４は、コの字状部１２に回転自在に取り付けられた円柱状ローラー１６と接しているので、手回しによって送られるベルト２４の動きに合わせて円柱状ローラー１６が回転する。このため、ベルト２４にブレーキがかからず、スムースに手回しを行うことができる。
【００１９】
以上、本発明の実施形態について説明してきたが、本発明はこうした実施形態に何等限定されるものではなく、本発明の要旨を逸脱しない範囲内において種々なる態様で実施し得ることは勿論である。
【００２０】
【発明の効果】
以上説明してきたように、本発明によれば、ベルトとプーリーとの間に手が挟まれることを防止できる挟まれ防止具を提供することができる。
【図面の簡単な説明】
【図１】図１（Ａ）は本発明の一実施形態に係る回転機器のベルトに装着して手回し時に使用される挟まれ防止具の正面図、図１(Ｂ)は図１（Ａ）の右側面図である。
【図２】図２は図１（Ａ）の挟まれ防止具を回転機器としてのモーターのプーリーに架けられたベルトに取り付けた状態を示す斜視図である。
【図３】図３は図２のように挟まれ防止具を取り付けた状態でモーターの手回しを行う場合の説明図である。
【符号の説明】
２…  挟まれ防止具
１０…  板状部材
１２…  コの字状部
１３…  開放部
１４…  軸
１６…  円柱状ローラー
１８…  突起部
２０…  ストッパ
２１…  支点
２２…  プーリー
２２ａ…  ベルト溝
２４…  ベルト
２６…  モーター
２８…  手
【図１】
2004190843.tif 000003
【図２】
2004190843.tif 000004
【図３】
2004190843.tif 000005